(57)【要約】【課題】起動処理の完了後、実際に操作が可能となるタイミングを視覚障害者等の使用者にも容易に認識させることのできる携帯端末装置、起動通知方法および起動通知プログラムの提供。【解決手段】電源が投入された場合に、自装置に搭載された機能を起動処理部４２によって起動させ、起動処理が完了すると、該自装置に搭載された機能のうち、所定の機能が動作中か否かを監視部４３によって監視し、所定の機能が動作中でないことが確認された場合に、使用者に対して所定の情報を報知部４４により報知する。【選択図】図２
2010283469.tif 000002
【特許請求の範囲】
【請求項１】
電源が投入された場合に、自装置に搭載された機能を起動させる起動処理部と、
前記自装置に搭載された機能の起動が完了した場合に、該自装置に搭載された機能のうちの所定の機能が動作中であるか否かを監視する監視部と、
前記監視部により前記所定の機能が動作中でないことが確認された場合に、使用者に対して所定の情報を報知する報知部と
を備えたことを特徴とする携帯端末装置。
【請求項２】
音声を出力する音声出力部をさらに備え、
前記報知部は、前記監視部により前記所定の機能が動作中でないことが確認された場合に、装置が操作可能となったことを示す音声を前記音声出力部より出力する
ことを特徴とする請求項１に記載の携帯端末装置。
【請求項３】
前記報知部は、前記監視部により前記所定の機能が動作中であることが確認された場合、該機能が動作中であること示す音声を前記音声出力部より出力する
ことを特徴とする請求項２に記載の携帯端末装置。
【請求項４】
前記自装置に搭載された機能が動作中でない場合に、所定の待受け画面を表示する表示部をさらに備え、
前記報知部は、前記監視部により前記所定の機能が動作中でないことが確認された場合、前記所定の待受け画面に含まれる情報のうち、所定の情報の内容を示す音声を前記音声出力部より出力する
ことを特徴とする請求項２または３に記載の携帯端末装置。
【請求項５】
振動を発生させるバイブレータをさらに備え、
前記報知部は、前記監視部により前記所定の機能が動作中でないことが確認された場合に、前記バイブレータを振動させる
ことを特徴とする請求項１〜４のいずれか１項に記載の携帯端末装置。
【請求項６】
電源が投入された場合に、自装置に搭載された機能を起動させる起動処理ステップと、
前記自装置に搭載された機能の起動が完了した場合に、該自装置に搭載された機能のうちの所定の機能が動作中であるか否かを監視する監視ステップと、
前記監視ステップにより前記所定の機能が動作中でないことが確認された場合に、使用者に対して所定の情報を報知する報知ステップと
を含んだことを特徴とする起動通知方法。
【請求項７】
電源が投入された場合に、自装置に搭載された機能を起動させる起動処理手順と、
前記自装置に搭載された機能の起動が完了した場合に、該自装置に搭載された機能のうちの所定の機能が動作中であるか否かを監視する監視手順と、
前記監視手順により前記所定の機能が動作中でないことが確認された場合に、使用者に対して所定の情報を報知する報知手順と
を携帯端末装置に実行させることを特徴とする起動通知プログラム。
【発明の詳細な説明】
【技術分野】
【０００１】
本発明は、携帯端末装置、起動通知方法および起動通知プログラムに関する。
【背景技術】
【０００２】
従来、携帯電話等の携帯端末装置の使用者は、例えば、電源キーを長押しするなどして携帯端末装置を起動させる。そして、使用者は、携帯端末装置のディスプレイに待受け画面が表示されたことを視認することで、携帯端末装置が操作可能な状態となったことを判断する。
【０００３】
ところが、携帯端末装置の使用者が視覚障害者等である場合、該使用者は、ディスプレイの表示内容を視認することが困難である場合が多いため、携帯端末装置の操作が可能となったことを判断することができない場合がある。
【０００４】
ここで、携帯端末装置には、例えば、電源キーの長押し後、携帯端末装置の起動処理が開始された時点で、バイブレータを振動させたり効果音（ウェイクアップ音）を出力したりする機能が設けられている場合がある。このような機能によって、視覚障害者等の使用者は、ディスプレイの視認が困難な場合であっても、自装置が起動し始めたことを認識することができる。
【先行技術文献】
【特許文献】
【０００５】
【特許文献１】特開２００１−８６２０３号公報
【発明の概要】
【発明が解決しようとする課題】
【０００６】
しかしながら、上記の従来技術では、携帯端末装置が起動し始めたことを視覚障害者等の使用者に認識させることはできても、起動処理の完了後、実際に操作が可能となるタイミングを認識させることはできなかった。特に、起動処理の開始から実際に操作が可能となるまでの時間は、携帯端末装置の設定状況や動作状況によっては一定とならない場合もあるため、視覚障害者等の使用者は、操作が可能となるタイミングを推測することも困難であった。ここで、起動処理の開始から実際に操作が可能となるまでの時間とは、例えば、電源キーの長押し後、待受け画面が表示されるまでの時間を示す。
【０００７】
すなわち、携帯端末装置によっては、使用者の設定等により、起動処理の完了に引き続き、例えば、受信メールのチェックや所定のアプリケーションの起動などが自動的に開始される場合がある。そのため、起動処理の開始から操作が可能となるまでの時間は、これらの機能が有効となっているか否か等の設定状況によって変動するおそれがある。また、有効となっている機能の動作状況によっても、操作が可能となるまでの時間が変動する場合がある。すなわち、例えば、受信メールの自動チェック機能が設定により有効となっている場合、受信メールの存在の有無等によって、該受信メールの自動チェック機能が動作している時間が変動するため、これに伴い、操作が可能となるまでの時間も変動する。
【０００８】
このように、視覚障害者等の使用者は、起動処理の完了後、実際に操作が可能となるタイミングを認識することができず、しかも、起動処理の開始から実際に操作が可能となるまでの時間も一定ではないことが多いため、操作可能となるタイミングを推測することも困難であった。そのため、従来の携帯端末装置は、視覚障害者等の使用者にとって操作面での不具合を生じるおそれがあった。
【０００９】
開示の技術は、上記に鑑みてなされたものであって、起動処理の完了後、実際に操作が可能となるタイミングを視覚障害者等の使用者にも容易に認識させることのできる携帯端末装置、起動通知方法および起動通知プログラムを提供することを目的とする。
【課題を解決するための手段】
【００１０】
本願の開示する携帯端末装置は、一つの態様において、電源が投入された場合に、自装置に搭載された機能を起動させる起動処理部と、前記自装置に搭載された機能の起動が完了した場合に、該自装置に搭載された機能のうちの所定の機能が動作中か否かを監視する監視部と、前記監視部により前記所定の機能が動作中でないことが確認された場合に、使用者に対して所定の情報を報知する報知部とを備える。
【発明の効果】
【００１１】
本願の開示する携帯端末装置、起動通知方法および起動通知プログラムの一つの態様によれば、起動処理の完了後、実際に操作が可能となるタイミングを視覚障害者等の使用者にも容易に認識させることができるという効果を奏する。
【図面の簡単な説明】
【００１２】
【図１】図１は、実施例１にかかる携帯端末装置の構成を示すブロック図である。
【図２】図２は、実施例２にかかる携帯端末装置の構成を示すブロック図である。
【図３】図３は、ＬＣＤに表示される待受け画面の一例を示す図である。
【図４】図４は、実施例２にかかる制御部の処理手順を示すフローチャートである。
【図５】図５は、起動通知プログラムを実行する携帯端末装置を示すブロック図である。
【発明を実施するための形態】
【００１３】
以下に、本願の開示する携帯端末装置、起動通知方法および起動通知プログラムの実施例を図面に基づいて詳細に説明する。なお、この実施例によりこの発明が限定されるものではない。
【実施例１】
【００１４】
本実施例にかかる携帯端末装置は、電源投入時の起動処理が完了した後、所定の機能の動作状況をチェックし、該所定の機能が動作中でないことが確認された場合に、所定の情報を報知することにより、操作可能な状態となったことを使用者に認識させる。図１は、実施例１にかかる携帯端末装置の構成を示すブロック図である。
【００１５】
図１に示すように、携帯端末装置５００は、起動処理部５０１と、監視部５０２と、報知部５０３とを備える。起動処理部５０１は、電源が投入された場合、携帯端末装置５００の起動処理を実行する。具体的には、起動処理部５０１は、自装置に搭載された各種の機能を起動させて、動作可能な状態とする。
【００１６】
監視部５０２は、起動処理部５０１による起動処理が完了した場合に、自装置に搭載された機能のうちの所定の機能が動作中であるか否かを監視する。例えば、監視部５０２は、アプリケーションの自動起動や受信メールの自動チェックなど、起動処理の完了後にその動作が自動的に開始される機能が動作しているか否かを監視する。
【００１７】
報知部５０３は、所定の機能が動作中でないことが監視部５０２により確認された場合に、使用者に対して所定の情報を報知する。例えば、報知部５０３は、所定の機能が動作中でないことが監視部５０２により確認された場合に、図示しないスピーカを用いて日時情報を出力したり、図示しないバイブレータを振動させたりする。
【００１８】
すなわち、携帯端末装置においては、電源投入後の起動処理が完了した時点と、実際に操作が可能となる時点とは異なる場合がある。例えば、該起動処理の完了直後に所定の機能が動作を開始した場合には、該機能の動作が完了するまでの間は、使用者が行った操作が無効となる場合がある。そこで、本実施例にかかる携帯端末装置５００のように、所定の機能が動作中ではなくなった時点で、所定の情報を使用者に報知することで、実際に操作が可能な状態となったことを使用者に認識させることができる。
【００１９】
また、携帯端末装置５００は、所定の情報を音声または振動により使用者に報知することにより、操作が可能となるタイミングを視覚障害者等の使用者にも容易に認識させることができる。また、本実施例にかかる携帯端末装置５００は、所定の機能の動作状態を確認した上で所定の情報を使用者に報知するため、起動処理の開始から実際に操作が可能となるまでの時間が設定状況や動作状況によって変動した場合であっても、該変動に応じたタイミングで使用者への報知を行うことができる。
【００２０】
このように、本実施例では、起動処理の完了後、実際に操作が可能となるタイミングを視覚障害者等の使用者にも容易に認識させることができる。
【実施例２】
【００２１】
次に、実施例２にかかる携帯端末装置、起動通知方法および起動通知プログラムについて説明する。先ず、本実施例にかかる携帯端末装置の構成について説明する。図２は、実施例２にかかる携帯端末装置の構成を示すブロック図である。
【００２２】
本実施例にかかる携帯端末装置１は、例えば、携帯電話、ＰＨＳ(Personal Handyphone System)、ＰＤＡ(Personal Digital Assistant)、通信機能を備えた携帯型パーソナルコンピュータなどに相当する。なお、以下では、本実施例に密接に関連する箇所を中心に説明する。また、その他の箇所については、従来の携帯端末装置と同様であるため、その説明を省略または簡潔に行う。
【００２３】
図２に示すように、携帯端末装置１は、無線部１１と、操作部１２と、バイブレータ１３と、マイク１４と、スピーカ１５と、ＬＣＤ（Liquid Crystal Display）１６とを備える。また、携帯端末装置１は、入出力制御ＩＦ部２０と、記憶部３０と、制御部４０とを備える。
【００２４】
無線部１１は、アンテナを介して無線信号の送受信を行う。操作部１２は、使用者からの各種の入力操作を受け付ける。操作部１２は、例えば、テンキーや操作キー、回転セレクタ、カーソル、十字キー、設定キー、完了キー、クリアキー、電源キーなどを含む。また、携帯端末装置１が折り畳み式の携帯電話である場合、操作部１２は、携帯端末装置１の開閉状態を検出する。
【００２５】
バイブレータ１３は、携帯端末装置１を振動させることで使用者への報知を行う。マイク１４は、音声通信時等に使用者の声等を集音する集音部である。スピーカ１５は、例えば、着信があった場合や電子メールを受信した場合に、呼び出し音や音声を出力する音声出力部である。ＬＣＤ１６は、文字や画像などを表示する表示部である。なお、表示部は、必ずしもＬＣＤである必要はなく、例えば、有機ＥＬディスプレイや電子ペーパディスプレイ等であってもよい。
【００２６】
入出力制御ＩＦ部２０は、無線部１１、操作部１２、バイブレータ１３、マイク１４、スピーカ１５、ＬＣＤ１６と制御部４０との間での各種情報のやり取りを制御するインタフェース部である。記憶部３０は、制御部４０による各種処理の実行に必要なデータやプログラム等を格納する。特に、本実施例と密接に関連するものとして、記憶部３０は、基本情報記憶部３１と、ユーザデータ記憶部３２と、音声データ記憶部３３とを備える。
【００２７】
基本情報記憶部３１は、携帯端末装置１の動作に必要となる各種のプログラムやデータを記憶する。また、基本情報記憶部３１は、各種の設定情報を記憶する。例えば、基本情報記憶部３１は、マナーモードやキーロックモード等の設定の有無を記憶する。なお、マナーモードとは、例えば、着信があったときにスピーカ１５から着信音を出力させずに、バイブレータ１３を振動させて使用者に着信を報知するモードである。また、キーロックモードとは、操作部１２への操作を無効とするモードである。
【００２８】
また、基本情報記憶部３１は、起動処理の完了後に自動的にその動作を開始する機能が有効となっているか否か等の設定状況を記憶する。例えば、基本情報記憶部３１は、受信メールの自動問い合わせ機能やアプリケーションの自動起動機能が有効であるか否かを記憶する。受信メールの自動問い合わせ機能とは、起動処理の完了後に自動的に電子メールの問い合わせを行う機能である。また、アプリケーションの自動起動機能とは、起動処理の完了後に使用者により指定された特定のアプリケーションを自動的に起動させる機能であり、例えば、待受画面に関するアプリケーション（待受けアプリ）等に多く用いられる。
【００２９】
ユーザデータ記憶部３２は、ユーザデータを記憶する。ユーザデータは、例えば、アドレス帳データや電子メールデータの他、使用者によってダウンロードされた画像データや音声データ及びアプリケーション等を含む。
【００３０】
音声データ記憶部３３は、各種の音声データを記憶する。特に、本実施例にかかる音声データ記憶部３３は、日時情報を示す音声データを記憶する。また、音声データ記憶部３３は、例えば、「電子メールを受信中です。」や「○○アプリケーションを起動中です。」、「キーロックモード中です。」など、基本機能制御部４１の動作状況を示す音声データを記憶する。また、音声データ記憶部３３は、例えば、「操作可能です。」など、携帯端末装置１の起動処理の完了後、実際に操作が可能となったことを示す音声データを記憶する。
【００３１】
制御部４０は、携帯端末装置１を制御する制御部である。特に、本実施例と密接に関連するものとして、制御部４０は、基本機能制御部４１と、起動処理部４２と、監視部４３と、報知部４４とを備える。基本機能制御部４１は、携帯端末装置としての基本的な機能を制御する。具体的には、基本機能制御部４１は、電話機能制御部４１１、メール機能制御部４１２、アプリケーション制御部４１３、表示制御部４１４等を含む。
【００３２】
電話機能制御部４１１は、音声通話機能やテレビ電話通話機能等における発着信を制御する制御部である。メール機能制御部４１２は、電子メールの送受信やメールチェック、受信メールの保存などのメール機能を制御する。特に、メール機能制御部４１２は、受信メールの自動問い合わせ機能が有効であることが基本情報記憶部３１に記憶されている場合には、起動処理により動作可能な状態となった後、受信メールの問い合わせを自動的に実行する。また、問合せの結果、受信メールが存在する場合、メール機能制御部４１２は、該メールの受信処理を実行する。
【００３３】
アプリケーション制御部４１３は、ユーザデータ記憶部３２に記憶されたアプリケーションの起動を制御する。特に、アプリケーション制御部４１３は、アプリケーションの自動起動機能が有効であることが基本情報記憶部３１に記憶されている場合、起動処理により動作可能な状態となった後、特定のアプリケーションの起動処理を実行する。
【００３４】
表示制御部４１４は、使用者による操作部１２への操作あるいは電話機能制御部４１１やメール機能制御部４１２等の動作に応じてＬＣＤ１６の表示制御を行う。また、表示制御部４１４は、起動処理部４２による起動処理が完了した場合に、ＬＣＤ１６に待受け画面を表示する。待受け画面とは、携帯端末装置１において、いずれの機能（アプリケーション）も動作していない状態においてＬＣＤ１６に表示される画面である。
【００３５】
図３に、ＬＣＤ１６に表示される待受け画面の一例を示す。図３に示すように、表示制御部４１４によりＬＣＤ１６に表示される待受け画面には、電池残量を示す情報（電池アイコン）１６１や電波状況を示す情報（電波アイコン）１６２の他、日時情報１６３等が含まれる。例えば、図３に示す待受け画面には、日時情報１６３として、「４／８（火）  １３：１６」が表示されている。
【００３６】
なお、基本機能制御部４１は、これら制御部４１１〜４１４による処理以外に、キーロックモードの制御等も行う。キーロックモードの制御とは、キーロックモードが有効な状態で使用者が操作部１２への操作を行った場合に、該操作を無効とする制御である。
【００３７】
起動処理部４２は、電源が投入された場合、起動処理として、自装置に搭載された機能を起動させて、動作可能な状態とする。具体的には、起動処理部４２は、先ず、無線部１１や操作部１２などのハードウェアの初期化を順次行う。その後、起動処理部４２は、基本情報記憶部３１に記憶された所定のプログラムを図示しないＲＡＭ（Random Access Memory）に転送することで、基本機能制御部４１や監視部４３および報知部４４を起動させる。
【００３８】
監視部４３は、基本機能制御部４１や監視部４３および報知部４４の起動処理が完了した場合に、所定の機能の動作状態を監視する。本実施例において、監視部４３は、所定の機能として、電話着信機能、受信メールの自動問い合わせ機能、アプリケーションの自動起動機能、キーロックモード機能および自装置の開閉状態を検知する機能の動作を監視する。例えば、監視部４３は、受信メールの自動問合せ機能により電子メールを受信中であるか否か等を監視する。なお、所定の機能は、上記の機能以外の機能であってもよく、また、携帯端末装置１に搭載される全ての機能であってもよい。
【００３９】
報知部４４は、所定の機能が動作中でないことが監視部４３により確認された場合に、使用者に対して所定の情報を報知する。本実施例において、報知部４４は、所定の機能が動作中でないことが監視部４３により確認された場合、ＬＣＤ１６に表示される待受け画面に含まれる情報の一つである日時情報１６３の内容を示す音声をスピーカ１５より出力する。すなわち、例えば、所定の機能が動作中でないことが監視部４３により確認され、ＬＣＤ１６に待受け画面が表示された時点の時刻が、「４／８（火）  １３：１６」である場合、報知部４４は、該時刻に対応する音声データを音声データ記憶部３３から取得する。そして、報知部４４は、該時刻の内容を示す音声として、例えば、「４月８日  火曜日  １３時１６分です。」といった音声をスピーカ１５より出力する。
【００４０】
また、報知部４４は、所定の機能が動作中であることが監視部４３により確認された場合、該機能が動作中であること示す音声をスピーカ１５より出力する。すなわち、例えば、受信メールの自動問い合わせ機能において電子メールを受信する動作が行われていることが監視部４３により確認された場合、報知部４４は、該動作に対応する音声データを音声データ記憶部３３から取得し、スピーカ１５より出力する。これにより、例えば、「電子メールを受信中です。」といった内容の音声がスピーカ１５より出力される。
【００４１】
ここで、起動処理完了後、ＬＣＤ１６に待受け画面が表示されるまでの間において、所定の機能が動作中である場合、使用者による操作部１２への操作は、無効とされるか、動作中の機能に対応する操作のみが有効となる。すなわち、本実施例において「所定の機能が動作中である」状態とは、該所定の機能が動作中であることによって、使用者による操作部１２への操作が無効とされる状態または動作中の機能に対応する操作のみが有効となる状態を示す。
【００４２】
次に、本実施例にかかる携帯端末装置１の具体的動作について説明する。図４は、実施例２にかかる制御部の処理手順を示すフローチャートである。なお、以下においては、制御部４０が実行する処理手順のうち、起動処理部４２、監視部４３、報知部４４および表示制御部４１４に関する処理手順のみを示している。
【００４３】
携帯端末装置１に電源が投入されると、起動処理部４２は、図４に示すように、先ず、監視部４３および報知部４４を起動させる（ステップＳ１０１）。続いて、起動処理部４２は、基本機能制御部４１を起動させる（ステップＳ１０２）。
【００４４】
ステップＳ１０２において基本機能制御部４１の起動処理が完了すると、監視部４３は、所定の機能の動作状態の監視を開始する。所定の機能は、上述したように、電話着信機能、受信メールの自動問い合わせ機能、アプリケーションの自動起動機能、キーロックモード機能および自装置の開閉状態を検知する機能である。
【００４５】
監視部４３は、先ず、着信中であるか否かを判定する（ステップＳ１０３）。すなわち、監視部４３は、電話機能制御部４１１により電話の着信制御が行われているか否かを判定する。かかる処理において、着信中であると判定した場合（ステップＳ１０３肯定）、すなわち、電話着信機能が動作中であることを確認すると、報知部４４は、着信中である旨の音声データを音声データ記憶部３３から取得し、スピーカ１５から出力する（ステップＳ１０４）。ステップＳ１０４の処理を終えると、制御部４０は、処理をステップＳ１０３へ移行する。なお、報知部４４は、着信中である旨の音声に代えて、所定の効果音（着信音）をスピーカ１５から出力してもよい。
【００４６】
一方、ステップＳ１０３において着信中ではないことを確認すると（ステップＳ１０３否定）、監視部４３は、電子メールを受信中であるか否かを判定する（ステップＳ１０５）。すなわち、監視部４３は、メール機能制御部４１２が司る受信メール自動問い合わせ機能により、電子メールの問合せ処理や電子メールの受信処理を行っているか否かを判定する。かかる処理において、電子メールを受信中であると判定した場合（ステップＳ１０５肯定）、すなわち、受信メール自動問い合わせ機能が動作中であることを確認すると、報知部４４は、電子メールを受信中である旨の音声データを音声データ記憶部３３から取得し、スピーカ１５から出力する（ステップＳ１０６）。ステップＳ１０６の処理を終えると、制御部４０は、処理をステップＳ１０３へ移行する。
【００４７】
一方、ステップＳ１０５において電子メールを受信中ではないことを確認すると（ステップＳ１０５否定）、監視部４３は、アプリケーションが起動中であるか否かを判定する（ステップＳ１０７）。すなわち、監視部４３は、アプリケーション制御部４１３が司るアプリケーションの自動起動機能によって、例えば、待受けアプリ等の常駐型のアプリケーションの起動処理が行われているか否かを判定する。かかる処理において、アプリケーションが起動中であると判定した場合（ステップＳ１０７肯定）、すなわち、アプリケーションの自動起動機能が動作中であることを確認すると、報知部４４は、アプリケーションが起動中である旨の音声データを音声データ記憶部３３から取得し、スピーカ１５から出力する（ステップＳ１０８）。ステップＳ１０８の処理を終えると、制御部４０は、処理をステップＳ１０３へ移行する。
【００４８】
一方、ステップＳ１０７においてアプリケーションが起動中ではないことを確認すると（ステップＳ１０７否定）、監視部４３は、キーロックされているか否かを判定する（ステップＳ１０９）。具体的には、監視部４３は、基本機能制御部４１が、使用者による操作部１２への操作に対してキーロックの制御を行ったか否かを判定する。かかる処理において、キーロックされていると判定した場合（ステップＳ１０９肯定）、すなわち、基本機能制御部４１によりキーロックの制御が行われていることを確認すると、報知部４４は、キーロック中である旨の音声データを音声データ記憶部３３から取得し、スピーカ１５から出力する（ステップＳ１１０）。ステップＳ１１０の処理を終えると、制御部４０は、処理をステップＳ１０３へ移行する。
【００４９】
一方、ステップＳ１０９においてキーロックされていないとき（ステップＳ１０９否定）、監視部４３は、装置が閉状態であるか否かを判定する（ステップＳ１１１）。具体的には、監視部４３は、操作部１２により自装置が閉状態であることが検出されたか否かを判定する。かかる処理において、装置が閉状態であると判定した場合（ステップＳ１１１肯定）、報知部４４は、装置が閉状態である旨の音声データを音声データ記憶部３３から取得し、スピーカ１５から出力する（ステップＳ１１２）。ステップＳ１１２の処理を終えると、制御部４０は、処理をステップＳ１０３へ移行する。
【００５０】
一方、ステップＳ１１１において装置が閉状態ではないとき（ステップＳ１１１否定）、表示制御部４１４は、ＬＣＤ１６に待受け画面を表示する（ステップＳ１１３）。このように、ＬＣＤ１６に待受け画面が表示されることにより、視覚障害者等ではない使用者は、携帯端末装置１が操作可能な状態となったと認識することができる。そして、報知部４４は、ＬＣＤ１６に待受け画面が表示されると、該待受け画面に含まれる情報の１つである日時情報の内容を示す音声データを音声データ記憶部３３から取得し、スピーカ１５から出力する（ステップＳ１１４）。これにより、視覚障害者等の使用者は、待受け画面の視認が困難な場合であっても、携帯端末装置１が操作可能となったと認識することができる。ステップＳ１１４の処理を終えると、制御部４０は、起動処理部４２、監視部４３、報知部４４および表示制御部４１４に関する処理手順を終了する。
【００５１】
このように、本実施例にかかる携帯端末装置１は、起動処理部４２による起動処理の完了後、所定の機能の動作状態のチェックを行う。そして、携帯端末装置１は、これら所定の機能がいずれも動作していない場合には、起動処理の完了後すぐに待受け画面を表示し、該待受け画面に表示される日時情報の読み上げを行う。一方、いずれかの機能が動作している場合、携帯端末装置１は、該機能が動作中である旨を報知した後、所定の機能の動作状態を再度チェックする。そして、携帯端末装置１は、所定の機能がいずれも動作していないことを確認した時点で、待受け画面を表示し、該待受け画面に表示される日時情報の読み上げを行う。
【００５２】
上述してきたように、本実施例にかかる携帯端末装置１は、起動処理の完了後、所定の機能が動作中ではなくなった時点で、所定の情報を使用者に報知するため、実際に操作が可能となるタイミングを使用者に認識させることができる。特に、携帯端末装置１は、所定の情報を音声を用いて使用者に報知するため、操作が可能となるタイミングを視覚障害者等の使用者にも容易に認識させることができる。
【００５３】
しかも、本実施例にかかる携帯端末装置１は、所定の機能の動作状態を確認した上で所定の情報を使用者に報知するため、起動処理の開始から実際に操作が可能となるまでの時間が設定状況や動作状況によって変動した場合であっても、該変動に応じたタイミングで使用者への報知を行うことができる。
【００５４】
また、本実施例にかかる携帯端末装置１は、監視部４３により所定の機能が動作中であることが確認された時点で、該機能が動作中であること示す音声をスピーカ１５より出力する。これにより、使用者は、日時情報の読み上げにより携帯端末装置１が操作可能であることが報知される前であっても、監視部４３により動作中であることが確認された機能が使用可能であることを知ることができる。
【００５５】
ところで、実施例２における携帯端末装置１の機能をソフトウェアとして実装し、該ソフトウェアを携帯端末装置で実行することにより、携帯端末装置１と同等の機能を実現することもできる。以下に、携帯端末装置１の機能をソフトウェアとして実装した待受画像切替プログラムを実行する携帯端末装置の一例を示す。図５は、起動通知プログラムを実行する携帯端末装置を示すブロック図である。
【００５６】
図５に示すように、携帯端末装置６００は、無線部６１０、操作部６２０、バイブレータ６３０、マイク６４０、スピーカ６５０、ＬＣＤ６６０とを備える。これらは、図２に示す無線部１１、操作部１２、バイブレータ１３、マイク１４、スピーカ１５、ＬＣＤ１６に対応する。また、携帯端末装置６００は、各種演算処理を実行するＣＰＵ（Central Processing Unit）６７０と、各種情報を記憶する不揮発メモリ６８０及びＲＡＭ（Random Access Memory）６９０とを備える。また、携帯端末装置６００は、これらをバス７００により相互に接続する。
【００５７】
そして、不揮発メモリ６８０には、本実施例と同様の機能を発揮する起動通知プログラム、すなわち、起動処理プログラム６８１と、監視プログラム６８２と、報知プログラム６８３とが記憶される。
【００５８】
そして、ＣＰＵ６７０が、起動処理プログラム６８１、監視プログラム６８２、報知プログラム６８３を不揮発メモリ６８０から読み出してＲＡＭ６９０に展開することにより、各プログラム６８１〜６８３は、それぞれ起動処理プロセス６９１、監視プロセス６９２、報知プロセス６９３として機能する。このように、ＣＰＵ６７０は、図３に示す制御部４０に相当する。
【００５９】
また、不揮発メモリ６８０は、基本情報記憶部６８４、ユーザデータ記憶部６８５、音声データ記憶部６８６を有する。ＣＰＵ６７０は、これらの記憶部６８４〜６８６に記憶された情報を読み出して、ＲＡＭ６９０に格納し、プロセス６９１〜６９３が、ＲＡＭ６９０に格納されたデータを利用して各種処理を実行する。
【００６０】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００６１】
例えば、実施例２では、監視部４３により所定の機能が動作中でないことが確認された場合、報知部４４によって日時情報が読み上げられることとしたが、報知部４４により報知される情報は、必ずしも日時情報である必要はない、例えば、報知部４４は、監視部４３により所定の機能が動作中でないことが確認された場合に、自装置が操作可能となったことを示す音声をスピーカ１５から出力してもよい。具体的には、報知部４４は、所定の機能が動作中でないことが確認された場合、音声データ記憶部３３に記憶された音声データのうち、「操作可能です。」等の実際に操作が可能となったことを示す音声データを取得し、スピーカ１５から出力する。これにより、携帯端末装置１が操作可能な状態となったことを視覚障害者等の使用者により直感的に認識させることができる。
【００６２】
また、報知部４４は、監視部４３により所定の機能が動作中でないことが確認された場合に、バイブレータ１３を振動させてもよい。これによっても、操作が可能となるタイミングを視覚障害者等の使用者に容易に認識させることができる。
【００６３】
また、実施例２において、監視部４３は、所定の機能として、電話着信機能、受信メールの自動問い合わせ機能、アプリケーションの自動起動機能、キーロックモード機能および自装置の開閉状態を検知する機能の動作を監視することとしたが、監視対象となる機能を設定状況に応じて変更してもよい。例えば、監視部４３は、基本情報記憶部３１に記憶された設定情報を参照し、受信メールの自動問い合わせ機能が有効でない場合には、該機能の監視を行わないこととしてもよい。
【００６４】
また、実施例２では、起動処理の完了後、所定の機能の動作状況を監視部４３により監視し、所定の機能が動作していないことが確認された後、表示制御部４１４によりＬＣＤ１６に待受け画面が表示され、報知部４４により日時情報が読み上げられることとしたが、これに限ったものではない。例えば、制御部４０は、起動処理の完了後、基本情報記憶部３１に記憶された設定情報や無線部１１により取得した情報に基づき、基本機能制御部４１に対して所定の機能を動作させるよう順次指示する。制御部４０から指示を受けた基本機能制御部４１（例えば、メール機能制御部４１２やアプリケーション制御部４１３）は、該指示に基づき所定の機能を動作させ、該動作が完了すると、該動作が完了した旨を制御部４０に対して通知する。そして、制御部４０は、所定の機能の動作がすべて完了した場合に、ＬＣＤ１６に待受け画面を表示するよう表示制御部４１４に指示するとともに、日時情報を読み上げるよう報知部４４に指示するようにしてもよい。
【符号の説明】
【００６５】
１  携帯端末装置
１１  無線部
１２  操作部
１３  バイブレータ
１４  マイク
１５  スピーカ
１６  ＬＣＤ
２０  入出力制御ＩＦ部
３０  記憶部
３１  基本情報記憶部
３２  ユーザデータ記憶部
３３  音声データ記憶部
４０  制御部
４１  基本機能制御部
４２  起動処理部
４３  監視部
４４  報知部
４１１  電話機能制御部
４１２  メール機能制御部
４１３  アプリケーション制御部
４１４  表示制御部
【図１】
2010283469.tif 000003
【図２】
2010283469.tif 000004
【図３】
2010283469.tif 000005
【図４】
2010283469.tif 000006
【図５】
2010283469.tif 000007